(57)【要約】【課題】既設防雪板に対する後付方式可能なる、防雪板固定のための金具を提供する。【解決手段】上下に延びる細巾の背板を有し、背板と直角に突設される基板を設けるとともに、該基板に挿入孔と所定巾の空隙部を設けて、以上の構成による基体を設け、一方、側面視略Ｌ形の上部押圧体と下部押圧体を設けるとともに、各押圧体の水平部分に挿入孔を各々穿設し、上部押圧体端の適所を切除および折曲してなる中央舌片を設け、下部押圧体端の適所を切除および折曲してなる側部舌片を設け、上部押圧体と下部押圧体において、側面視における垂直面と水平面とのなす内角を鈍角として、以上の基体と上部押圧体および下部押圧体との組み合わせよりなることを特徴とする。【選択図】図８
2015059418.tif 000002
【特許請求の範囲】
【請求項１】
上下に延びる細巾の背板を有し、背板と直角に突設される基板を設けるとともに、該基板に挿入孔と所定巾の空隙部を設けて、以上の構成による基体を設け、一方、側面視略Ｌ形の上部押圧体と下部押圧体を設けるとともに、各押圧体の水平部分に挿入孔を各々穿設し、上部押圧体端の適所を切除および折曲してなる中央舌片を設け、下部押圧体端の適所を切除および折曲してなる側部舌片を設け、上部押圧体と下部押圧体において、側面視における垂直面と水平面とのなす内角を鈍角として、以上の基体と上部押圧体および下部押圧体との組み合わせよりなることを特徴とする防雪板用後付巾止め金具。
【発明の詳細な説明】
【技術分野】
【０００１】  この発明は、既設の防雪板を後付にて上下に固体するための金具に関する。
【背景技術】
【０００２】  従来より、防雪板を互いに上下に固定する金具はあったが、本発明にて示すように、巾狭の背板を有する基板と、この基板を上下に挟んで固定される１組の押圧板の組み合わせにて構成される金具は見あたらない。
【発明の概要】
【発明が解決しようとする課題】
【０００３】  従来より、道路脇に立設される防雪柵の防雪板は、支柱間において上下に複数枚が配備されるが、この防雪板は風向風圧の影響にて振動を発することが多々あり、それがために防雪板固定のためのボルトやナットの緩みを助長し、ときには外れてしまう場合があって、管理上好ましくない。ゆえに防雪板の中央上下を固定する巾止め金具が利用されている。
この巾止め金具は、防雪板を有孔平板を用いてボルトとナットにて固定するものであって、通常は防雪板に設けられている孔を利用して施工時に取り付けられるのであるが、施行後の時間経過とともに、その補修点検が行われる。この点検にて巾止め金具の交換が必要となれば、ボルトとナットを取り外すために、防雪板の表側と裏側各１名による作業が必要となるために、多くの時間と労力を必要とする。すなわち、防雪柵の延長数が長いと裏に回り込むのが大変であり、また、函渠では、裏側作業が困難（高所作業車が必要になる）であるため、より能率的な手段が求められているのが現状である。本発明は以上に鑑み、防雪板正面方向からの作業のみにて、巾止め金具の新規取付を可能とする新規かつ有用なる手段を提供するべく発明されたものである。
【課題を解決するための手段】
【０００４】  課題を解決する手段として本発明は以下の構成とした。
すなわち、上下に延びる細巾の背板を有し、背板と直角に突設される基板を設けるとともに、該基板に挿入孔と所定巾の空隙部を設けて、以上の構成による基体を設け、一方、側面視略Ｌ形の上部押圧体と下部押圧体を設けるとともに、各押圧体の水平部分に挿入孔を各々穿設し、上部押圧体端の適所を切除および折曲してなる中央舌片を設け、下部押圧体端の適所を切除および折曲してなる側部舌片を設け、上部押圧体と下部押圧体において、側面視における垂直面と水平面とのなす内角を鈍角として、以上の基体と上部押圧体および下部押圧体とを組み合わせる。本発明は以上の構成よりなる防雪板用後付巾止め金具である。
【発明の効果】
【０００５】  本発明は、以下の効果を有する。
１．基体の背板巾を、上下防雪板間隙より小さいサイズとしたので、防雪板の道路側か    らの作業とセッティングをすることができる。
２．各押圧板の垂直面と水平面との内角を９０度に近似の鈍角とすることで、押圧板と    基体を防雪板に有効に押圧固定することができる。
３．両押圧板に舌片を設けたので、この舌片が基体の空隙部内面に押圧接触することに    て、基体に対する両押圧板の水平方向のずれを防止することができる。
４．構造簡単にして、比較的安価に製作することができる。
【図面の簡単な説明】
【０００６】
【図１】  本発明の基体の斜視図
【図２】  本発明の上部押圧体の斜視図
【図３】  本発明の下部押圧体の斜視図
【図４】  本発明の押圧体の角度説明図（側面視）
【図５】  本発明の取り付け状態説明図（側面視拡大）
【図６】  本発明の取り付け状態説明図（平面視）
【図７】  本発明の取り付け状態説明図（正面視）
【図８】  本発明の取り付け状態説明図（全体側面視）
【発明を実施するための最良の形態】
【０００７】  以下、本発明の実施形態について説明する。
図において、１は金属板による基体である。２は背板で、上下に延びる細長小板体であって、その中央に直角に基板３が固着突設される。この基板は背板より幅広の板体で平面視にて両斜辺を有して、その略中央には挿入孔４が穿設され、この挿入孔に近接して四角穴状の空隙部５が設けられる。１０は上部押圧体で、側面視略直角的鈍角の押圧板１１を有して、その水平部分の略中央には挿入孔１２が穿設される。水平部分端はその一部が切除されるとともに下方に略直角に折曲された中央舌片１３を有している。
２０は下部押圧体で、前記の上部押圧体と近似の押圧板２１を有し、その水平部分の略中央には挿入孔２２が穿設され、水平部分端はその一部が切除されるとともに下方に略直角に折曲された側部舌片２３を有している。ただし、上部押圧体の舌片は板端中央部分に設けられるが、下部押圧体の舌片は逆に中央を切除してその両サイドが舌片となっている。なお、両押圧体において、垂直部分と水平部分との内角θは本例では９３度である。【０００８】  次に、本発明の使用について説明する。立設されている防雪柵は各支柱間に所定サイズの多孔板による防雪板３０が上下に固定配置されているが、上下の各防雪板間には若干の間隙があり、本発明はこの間隙を利用するものである。
まず、基体の背板をその長辺方向が水平となるよう基体を傾け、この背板を防雪板上下間の間隙を通過させて、防雪板の風上側にやや突出させ、次にこの基体を９０度傾けて基板を水平とする。上部押圧体を基板上方に位置させ、その垂直板部分を防雪板面にあてがい、中央舌片を空隙部５内に位置させて、水平板部分を基板上に載せる。このとき、挿入孔４と１２は上下にほぼ一致した位置となる。下部押圧体を基板下方に位置させ、同様に水平板部分を基板下面にあてがって、垂直板部分を防雪板面にあてがう。挿入孔２２は前記の各挿入孔とほぼ一致の位置にあり、側部舌片は空隙部５内に位置する。
次に、所定長のボルト３１を一致している挿入孔に上から挿入し、下方に突出した雄ネジ部分にナット３２を螺着させる。この状態が図５である。
押圧板の各舌片は互いに当接しない位置とサイズに形成されている。既述のごとく、押圧板の内角は９３度であるので、以下の効果が現れる。すなわち、ナットを締め上げていくと、基体の背板と基板のなす内角は直角であるために、前記の９３度は直角に近づいていき、このとき、防雪板は背板と押圧板に押圧挟持される。このとき、押圧板の水平板部分に対して水平方向の力が働くが、各舌片は空隙部内に押圧接触して、その水平方向の移動は阻止されて、各押圧板と基体間に防雪板を強力に押圧保持することができる。【０００９】  以上、本発明について記したが、本発明は基体と各押圧体との組み合わせによる防雪板の押圧固定を目的として、防雪板に対する一方向のみからの作業にて目的を達するものである。従来はこのような物品がなく、防雪板の表側と裏側からの作業となるために、多くの時間と労力を有していたが、本発明にて格段の省力化が可能となったのである。
なお、記述例において、θを９３度としたが、これは実験にて確かめられたデータによるものであるが、これに近似の９２度から９５度の範囲でも使用可能である。ただし、この角度が小さすぎると押圧力が不足し、大きすぎると基体と押圧板との隙間が大きくなって好ましくない。押圧板板厚は２．３ミリメートルから３．２ミリメートルの範囲が適当である。また、上部押圧体と下部押圧体は上下に入れ替えて用いてもよい。
基体の背板巾は既例では１０ミリメートルとしており、これは上下の防雪板間隙よりわずかに小さいサイズであればよい。防雪板は、その強度を保つために図８にて示すように、側面視山形となっており、その垂直部分寸法に適合して背板の上下寸法が設定される。
以上のごとく、本発明によって防雪板の巾止め作業における省力化に有効なる物品を得ることができる。
【符号の説明】
【００１０】  １  基体
２  背板
３  基板
４  挿入孔
５  空隙部
１０  上部押圧体
１１  押圧板
１２  挿入孔
１３  中央舌片
２０  下部押圧体
２１  押圧板
２２  挿入孔
２３  側部舌片
３０  防雪板
３１  ボルト
３２  ナット
θ  内角
【図１】
2015059418.tif 000003
【図２】
2015059418.tif 000004
【図３】
2015059418.tif 000005
【図４】
2015059418.tif 000006
【図５】
2015059418.tif 000007
【図６】
2015059418.tif 000008
【図７】
2015059418.tif 000009
【図８】
2015059418.tif 000010